(57)【要約】【課題】動作状態に応じた適切なタイミングで種別情報の変更を受け付け可能な画像記録装置を提供する。【解決手段】当該装置は、記録画像をシートに対してプリンタ部に記録させるプリント処理と、給送トレイ上にシートが存在しないことを示す信号が第１センサから出力されたことに応じて、給送トレイ上にシートが存在しないことを示す表示画像を表示部に表示させる第１表示処理と、給送トレイが非装着状態であることを示す非装着信号が第２センサから出力されたことに応じて、種別情報を変更するユーザの操作を受け付けることを示す表示画像を表示部に表示させる第２表示処理（Ｓ３３、Ｓ４２）とを実行し、プリント処理及び第１表示処理の実行中において、非装着信号が第２センサから出力されたことに応じて（Ｓ３２：Ｙｅｓ）、第２表示処理を実行しない（Ｓ３８）。【選択図】図５
2015134677.tif 000002
【特許請求の範囲】
【請求項１】
着脱可能な給送トレイと、
上記給送トレイから給送されたシートに記録画像を記録するプリンタ部と、
上記給送トレイ上のシートの有無に応じた信号を出力する第１センサと、
上記給送トレイの着脱状態に応じた信号を出力する第２センサと、
上記給送トレイに支持されるシートの種別を示す種別情報を記憶する記憶部と、
複数の表示画像を切り替え表示可能な表示部と、
制御部と、を備えており、
上記制御部は、
記録指示に含まれる画像データで示される上記記録画像をシートに対して上記プリンタ部に記録させるプリント処理と、
上記給送トレイ上にシートが存在しないことを示す信号が上記第１センサから出力されたことに応じて、上記給送トレイ上にシートが存在しないことを示す上記表示画像を上記表示部に表示させる第１表示処理と、
上記給送トレイが非装着状態であることを示す非装着信号が上記第２センサから出力されたことに応じて、上記種別情報を変更するユーザの操作を受け付けることを示す上記表示画像を上記表示部に表示させる第２表示処理と、を実行し、
上記プリント処理及び上記第１表示処理の実行中において、上記非装着信号が上記第２センサから出力されたことに応じて、上記第２表示処理を実行しない画像記録装置。
【請求項２】
上記給送トレイは、各々が独立して着脱可能な第１給送トレイ及び第２給送トレイを含み、
上記第２センサは、上記第１給送トレイ及び上記第２給送トレイそれぞれの着脱状態に応じた信号を出力し、
上記制御部は、上記第１給送トレイから給送されたシートへの上記プリント処理の実行中において、上記第１給送トレイの上記非装着信号が上記第２センサから出力されたことに応じて、上記第２表示処理を実行しない請求項１に記載の画像記録装置。
【請求項３】
上記記録指示は、画像を記録すべきシートのサイズを示すサイズ情報を含み、
上記制御部は、
上記給送トレイから給送されたシートのサイズを検出する検出処理と、
上記サイズ情報で示されるサイズと、上記検出処理で検出されたサイズとが相違することに応じて、シートのサイズが異なることを示す上記表示画像を上記表示部に表示させる第３表示処理と、を実行し、
上記第１給送トレイから給送されたシートへの上記プリント処理及び上記第３表示処理の実行中において、上記第１給送トレイの上記非装着信号が上記第２センサから出力されたことに応じて、上記第２表示処理を実行する請求項２に記載の画像記録装置。
【請求項４】
該画像記録装置は、上記プリンタ部と異なる処理を実行する処理部を備えており、
上記制御部は、
上記処理部に関する上記表示画像を上記表示部に表示させる第４表示処理を実行し、
上記第４表示処理の実行中において、上記非装着信号が上記第２センサから出力されたことに応じて、当該第４表示処理の終了後に上記第２表示処理を実行する請求項１から３のいずれかに記載の画像記録装置。
【請求項５】
上記処理部は、原稿に記録された画像を読み取って画像データを生成するスキャナ部、又は通信回線を通じて外部装置との間でＦＡＸ通信を行うＦＡＸ部である請求項４に記載の画像記録装置。
【請求項６】
着脱可能な給送トレイと、上記給送トレイから給送されたシートに記録画像を記録するプリンタ部と、上記給送トレイ上のシートの有無に応じた信号を出力する第１センサと、上記給送トレイの着脱状態に応じた信号を出力する第２センサと、上記給送トレイに支持されるシートの種別を示す種別情報を記憶する記憶部と、複数の表示画像を切り替え表示可能な表示部と、を備えるコンピュータによって実行可能なプログラムであって、
該プログラムは、
記録指示に含まれる画像データで示される上記記録画像をシートに対して上記プリンタ部に記録させるプリント処理と、
上記給送トレイ上にシートが存在しないことを示す信号が上記第１センサから出力されたことに応じて、上記給送トレイ上にシートが存在しないことを示す上記表示画像を上記表示部に表示させる第１表示処理と、
上記給送トレイが非装着状態であることを示す非装着信号が上記第２センサから出力されたことに応じて、上記種別情報を変更するユーザの操作を受け付けることを示す上記表示画像を上記表示部に表示させる第２表示処理と、を上記コンピュータに実行させ、
上記プリント処理及び上記第１表示処理の実行中において、上記非装着信号が上記第２センサから出力されたことに応じて、上記第２表示処理を実行しないプログラム。
【発明の詳細な説明】
【技術分野】
【０００１】
本発明は、様々なサイズの用紙を支持する給送トレイを備える画像記録装置に関する。
【背景技術】
【０００２】
従来より、給送トレイに支持された用紙の種別情報をユーザから受け付け、当該種別情報を用いて処理を行う画像記録装置が知られている。種別情報は、用紙サイズ、或いは用紙の種類（例えば、普通紙或いは光沢紙等）等を含む。例えば特許文献１には、給送トレイの装着或いは抜き出しが検知されたことに応じて、用紙サイズ設定操作画面を表示部に表示させる画像形成装置が開示されている。より具体的には、特許文献１に記載の画像形成装置は、給送トレイが抜き出され且つ所定時間経過後に装着されたことが検知された場合に、用紙サイズ設定操作画面を表示させることが開示されている。このように、用紙サイズの設定要求や設定確認画面を特定の期間に表示させることで、ユーザに余計な注意を促すことを防止できる。
【先行技術文献】
【特許文献】
【０００３】
【特許文献１】特開２００３−２２３０８１号公報
【発明の概要】
【発明が解決しようとする課題】
【０００４】
しかしながら、特許文献１に記載の画像形成装置では、給送トレイを抜き出してから所定時間が経過しなければ用紙サイズ設定操作画面が表示されないので、用紙サイズ設定を変更したい場合に待ち時間が発生するという新たな課題を生じる。
【０００５】
本発明は、上記の課題に鑑みてなされたものであり、その目的は、動作状態に応じた適切なタイミングで種別情報の変更を受け付け可能な画像記録装置を提供することにある。
【課題を解決するための手段】
【０００６】
(1)  本発明に係る画像記録装置は、着脱可能な給送トレイと、上記給送トレイから給送されたシートに記録画像を記録するプリンタ部と、上記給送トレイ上のシートの有無に応じた信号を出力する第１センサと、上記給送トレイの着脱状態に応じた信号を出力する第２センサと、上記給送トレイに支持されるシートの種別を示す種別情報を記憶する記憶部と、複数の表示画像を切り替え表示可能な表示部と、制御部とを備える。上記制御部は、記録指示に含まれる画像データで示される上記記録画像をシートに対して上記プリンタ部に記録させるプリント処理と、上記給送トレイ上にシートが存在しないことを示す信号が上記第１センサから出力されたことに応じて、上記給送トレイ上にシートが存在しないことを示す上記表示画像を上記表示部に表示させる第１表示処理と、上記給送トレイが非装着状態であることを示す非装着信号が上記第２センサから出力されたことに応じて、上記種別情報を変更するユーザの操作を受け付けることを示す上記表示画像を上記表示部に表示させる第２表示処理とを実行する。そして、上記制御部は、上記プリント処理及び上記第１表示処理の実行中において、上記非装着信号が上記第２センサから出力されたことに応じて、上記第２表示処理を実行しない。
【０００７】
(2)  好ましくは、上記給送トレイは、各々が独立して着脱可能な第１給送トレイ及び第２給送トレイを含む。また、上記第２センサは、上記第１給送トレイ及び上記第２給送トレイそれぞれの着脱状態に応じた信号を出力する。そして、上記制御部は、上記第１給送トレイから給送されたシートへの上記プリント処理の実行中において、上記第１給送トレイに対する上記非装着信号が上記第２センサから出力されたことに応じて、上記第２表示処理を実行しない。
【０００８】
(3)  さらに好ましくは、上記記録指示は、画像を記録すべきシートのサイズを示すサイズ情報を含む。そして、上記制御部は、上記給送トレイから給送されたシートのサイズを検出する検出処理と、上記サイズ情報で示されるサイズと、上記検出処理で検出されたサイズとが相違することに応じて、シートのサイズが異なることを示す上記表示画像を上記表示部に表示させる第３表示処理とを実行する。そして、上記制御部は、上記第１給送トレイから給送されたシートへの上記プリント処理及び上記第３表示処理の実行中において、上記第１給送トレイに対する上記非装着信号が上記第２センサから出力されたことに応じて、上記第２表示処理を実行する。
【０００９】
(4)  好ましくは、該画像記録装置は、上記プリンタ部と異なる処理を実行する処理部を備える。そして、上記制御部は、上記処理部に関する上記表示画像を上記表示部に表示させる第４表示処理を実行し、上記第４表示処理の実行中において、上記非装着信号が上記第２センサから出力されたことに応じて、当該第４表示処理の終了後に上記第２表示処理を実行する。
【００１０】
(5)  例えば、上記処理部は、原稿に記録された画像を読み取って画像データを生成するスキャナ部、又は通信回線を通じて外部装置との間でＦＡＸ通信を行うＦＡＸ部である。
【００１１】
(6)  本発明に係るプログラムは、着脱可能な給送トレイと、上記給送トレイから給送されたシートに記録画像を記録するプリンタ部と、上記給送トレイ上のシートの有無に応じた信号を出力する第１センサと、上記給送トレイの着脱状態に応じた信号を出力する第２センサと、上記給送トレイに支持されるシートの種別を示す種別情報を記憶する記憶部と、複数の表示画像を切り替え表示可能な表示部と、を備えるコンピュータによって実行可能なプログラムである。該プログラムは、記録指示に含まれる画像データで示される上記記録画像をシートに対して上記プリンタ部に記録させるプリント処理と、上記給送トレイ上にシートが存在しないことを示す信号が上記第１センサから出力されたことに応じて、上記給送トレイ上にシートが存在しないことを示す上記表示画像を上記表示部に表示させる第１表示処理と、上記給送トレイが非装着状態であることを示す非装着信号が上記第２センサから出力されたことに応じて、上記種別情報を変更するユーザの操作を受け付けることを示す上記表示画像を上記表示部に表示させる第２表示処理と、を上記コンピュータに実行させる。そして、該プログラムは、上記プリント処理及び上記第１表示処理の実行中において、上記非装着信号が上記第２センサから出力されたことに応じて、上記第２表示処理を実行しない。
【発明の効果】
【００１２】
本発明によれば、動作状態に応じた適切なタイミングで種別情報の変更を受け付け可能な画像記録装置を得ることができる。
【図面の簡単な説明】
【００１３】
【図１】図１は、複合機１０の外観斜視図である。
【図２】図２は、プリンタ部１１の内部構造を模式的に示す縦断面図である。
【図３】図３は、プリンタ部１１のブロック図である。
【図４】図４は、画像記録処理のフローチャートである。
【図５】図５は、給送トレイ抜け時の処理を示すフローチャートである。
【図６】図６は、表示部１４の表示例であって、（Ａ）は用紙無し報知画面を、（Ｂ）はサイズ不一致報知画面を示す。
【図７】図７は、表示部１４の表示例であって、（Ａ）は種別情報設定画面を、（Ｂ）はトレイ抜け報知画面を示す。
【図８】図８は、表示部１４の表示例であって、（Ａ）は変更情報選択画面を、（Ｂ）は用紙種類選択画面を、（Ｃ）は用紙サイズ選択画面を示す。
【図９】図９は、表示部１４の表示例であって、（Ａ）スキャナ設定画面を、（Ｂ）は解像度選択画面を、（Ｃ）は機能選択画面を示す。
【発明を実施するための形態】
【００１４】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明においては、複合機１０が使用可能に設置された状態（図１の状態）を基準として上下方向７が定義され、開口１３が形成されている側を手前側（正面）として前後方向８が定義され、複合機１０を手前側（正面）から見て左右方向９が定義される。
【００１５】
［複合機１０の全体構成］
複合機１０は、図１に示されるように、概ね直方体に形成されている。複合機１０は、用紙１２（図２参照）に画像を記録するプリンタ部１１と、表示部１４と、操作部１７とを有している。また、複合機１０は、用紙に記録されている画像を読み取って画像データを生成するスキャン処理を実行するスキャナ部、或いはＦＡＸの送受信を行うＦＡＸ部等をさらに有していてもよい。スキャナ部及びＦＡＸ部等は、プリンタ部１１と異なる処理を実行する処理部の一例である。複合機１０は、画像記録装置の一例である。
【００１６】
プリンタ部１１は、第１給送トレイ２０Ａ又は第２給送トレイ２０Ｂに支持された用紙１２をピックアップして、当該用紙１２に対して記録画像を記録するプリント処理を実行する。プリンタ部１１のプリント方式は特に限定されないが、例えば、インクジェット方式や電子写真方式などの公知の方式を採用することができる。プリンタ部１１は、図２に示されるように、第１給送部１５Ａ及び第２給送部１５Ｂと、排出トレイ２１と、搬送ローラ部５４と、記録部２４と、排出ローラ部５５と、プラテン４２とを備えている。
【００１７】
［第１給送トレイ２０Ａ、第２給送トレイ２０Ｂ、排出トレイ２１］
第１給送トレイ２０Ａ及び第２給送トレイ２０Ｂは、プリンタ部１１の正面に形成された開口１３（図１参照）を通じて、各々が独立してプリンタ部１１に対して着脱可能に構成されている。第１給送トレイ２０Ａ及び第２給送トレイ２０Ｂは、上下方向７に積層されている。第１給送トレイ２０Ａは、第１給送部１５Ａによって搬送路６５に給送される用紙１２を支持する。第２給送トレイ２０Ｂは、第２給送部１５Ｂによって搬送路６５に給送される用紙１２を支持する。排出トレイ２１は、第２給送トレイ２０Ｂの上側に配置されている。排出トレイ２１は、正面に形成された開口１３を通じて排出ローラ部５５によって排出された用紙１２を支持する。
【００１８】
［第１給送部１５Ａ、第２給送部１５Ｂ］
第１給送部１５Ａは、図２に示されるように、給送ローラ２５Ａと、給送アーム２６Ａと、軸２７Ａとを備えている。給送ローラ２５Ａは、給送アーム２６Ａの先端側に回転可能に支持されている。給送ローラ２５Ａは、搬送モータ１０２（図３参照）の逆転駆動によって、第１給送トレイ２０Ａに支持された用紙１２を搬送路６５へ給送する向き（以下、「正転」と表記する。）に回転する。給送アーム２６Ａは、プリンタ部１１のフレームに支持された軸２７Ａに回動可能に支持されている。給送アーム２６Ａは、自重或いはバネ等による弾性力によって第１給送トレイ２０Ａ側へ回動付勢されている。同様に、第２給送部１５Ｂは、給送ローラ２５Ｂと、給送アーム２６Ｂと、軸２７Ｂとを備え、第２給送トレイ２０Ｂに支持された用紙１２を搬送路６５へ給送する。
【００１９】
［搬送路６５］
搬送路６５は、図２に示されるように、その一部がプリンタ部１１の内部において、所定間隔で対向する外側ガイド部材１８及び内側ガイド部材１９によって形成される空間を指す。搬送路６５は、第１給送トレイ２０Ａ又は第２給送トレイ２０Ｂの後端部からプリンタ部１１の後方側に延びる経路である。また、搬送路６５は、プリンタ部１１の後方側において下方から上方に延びつつＵターンし、記録部２４を経て排出トレイ２１に至る経路である。なお、搬送路６５内における用紙１２の搬送向き１６は、図２において一点鎖線の矢印で示されている。
【００２０】
［搬送ローラ部５４］
搬送ローラ部５４は、図２に示されるように、記録部２４より搬送向き１６の上流側に配置されている。搬送ローラ部５４は、互いに対向する搬送ローラ６０及びピンチローラ６１を備える。搬送ローラ６０は、搬送モータ１０２によって駆動される。ピンチローラ６１は、搬送ローラ６０の回転に伴って連れ回る。用紙１２は、搬送モータ１０２の正転駆動によって正転する搬送ローラ６０及びピンチローラ６１に挟持されて、搬送向き１６に搬送される。
【００２１】
［排出ローラ部５５］
排出ローラ部５５は、図２に示されるように、記録部２４より搬送向き１６の下流側に配置されている。排出ローラ部５５は、互いに対向する排出ローラ６２及び拍車６３を備える。排出ローラ６２は、搬送モータ１０２によって駆動される。拍車６３は、排出ローラ６２の回転に伴って連れ回る。用紙１２は、搬送モータ１０２の正転駆動によって正転する排出ローラ６２及び拍車６３に挟持されて、搬送向き１６に搬送される。
【００２２】
［レジストセンサ１２０］
プリンタ部１１は、図２に示されるように、搬送ローラ部５４より搬送向き１６の上流側に、レジストセンサ１２０を備える。レジストセンサ１２０は、用紙１２が当該レジストセンサ１２０の設置位置に存在することを検知するためのセンサである。レジストセンサ１２０は、用紙１２が設置位置に存在していることに応じて、検知信号であるローレベル信号（つまり、「信号レベルが閾値未満の信号」）を後述する制御部１３０に出力する。一方、レジストセンサ１２０は、用紙１２が設置位置に存在していないことに応じて、検知信号であるハイレベル信号（つまり、「信号レベルが閾値以上の信号」）を制御部１３０に出力する。レジストセンサ１２０は、第１センサの一例である。
【００２３】
［ロータリエンコーダ１２１］
また、プリンタ部１１は、図３に示されるように、搬送ローラ６０の回転（換言すれば、搬送モータ１０２の回転駆動）に応じてパルス信号を発生させる公知のロータリエンコーダ１２１を備える。ロータリエンコーダ１２１は、エンコーダディスクと、光学センサとを備える。エンコーダディスクは、搬送ローラ６０の回転と共に回転する。光学センサは、回転するエンコーダディスクを読み取ってパルス信号を生成し、生成したパルス信号を制御部１３０に出力する。
【００２４】
［記録部２４］
記録部２４は、図２に示されるように、搬送向き１６における搬送ローラ部５４及び排出ローラ部５５の間に配置されている。また、記録部２４は、上下方向７においてプラテン４２に対向するようにして配置されている。記録部２４は、キャリッジ２３と、記録ヘッド３９と、メディアセンサ１２２とを備えている。
【００２５】
キャリッジ２３は、前後方向８に離間する位置において各々が左右方向９に延設されたガイドレール４３、４４に支持されている。キャリッジ２３は、ガイドレール４４に配置された公知のベルト機構に連結されている。キャリッジ２３は、キャリッジモータ１０３（図３参照）がベルト機構を駆動させることにより、左右方向９（主走査方向の一例）に往復移動する。
【００２６】
記録ヘッド３９は、図２に示されるように、キャリッジ２３に搭載されている。記録ヘッド３９の下面には、複数のノズル４０が形成されている。記録ヘッド３９は、ノズル４０からインクを微小なインク滴として吐出する。キャリッジ２３が左右方向９に移動する過程において、プラテン４２に支持されている用紙１２に対して記録ヘッド３９がインク滴を吐出する。これにより、用紙１２に画像が記録される。
【００２７】
［プラテン４２］
プラテン４２は、図２に示されるように、搬送向き１６における各ローラ部５４、５５の間に配置されている。プラテン４２は、上下方向７において記録部２４に対向するようにして配置されており、搬送ローラ部５４によって搬送される用紙１２を下側から支持する。本実施形態におけるプラテン４２の光反射率は、用紙１２より低く設定されている。
【００２８】
［メディアセンサ１２２］
メディアセンサ１２２は、図２に示されるように、キャリッジ２３の下面（プラテン４２に対向する面）においてキャリッジ２３に搭載されている。メディアセンサ１２２は、発光ダイオード等からなる発光部と、光学式センサなどからなる受光部とを備えている。発光部は、制御部１３０によって指示された光量の光をプラテン４２へ向けて照射する。発光部から照射された光は、プラテン４２或いはプラテン４２に支持された用紙１２において反射され、反射された光が受光部で受光される。メディアセンサ１２２は、受光部の受光量に応じた検知信号を制御部１３０へ出力する。例えば、メディアセンサ１２２は、受光量が大きい程、レベルの高い検知信号を制御部１３０へ出力する。
【００２９】
［トレイセンサ１２３］
さらに、プリンタ部１１は、図３に示されるように、第１給送トレイ２０Ａ及び第２給送トレイ２０Ｂそれぞれの着脱状態に応じた信号を出力するトレイセンサ１２３を備える。具体的には、トレイセンサ１２３は、第１給送トレイ２０Ａがプリンタ部１１に装着されている状態（以下、「装着状態」と表記する。）において、装着信号を制御部１３０に出力する。一方、トレイセンサ１２３は、第１給送トレイ２０Ａがプリンタ部１１から抜去された状態（以下、「非装着状態」と表記する。）において、非装着信号を制御部１３０に出力する。トレイセンサ１２３の具体的な構成は特に限定されないが、例えば、機械式のセンサであってもよいし、光学式のセンサであってもよい。トレイセンサ１２３は、第２センサの一例である。
【００３０】
なお、「非装着状態」は、第１給送トレイ２０Ａがプリンタ部１１から分離されている必要は必ずしもなく、プリンタ部１１からある程度引き出された状態を含んでもよい。すなわち、上記の「装着状態」は、第１給送トレイ２０Ａに支持された用紙１２を第１給送部１５Ａが給送可能な状態と表現してもよい。また、「非装着状態」は、第１給送トレイ２０Ａに対して用紙１２を挿入或いは取り出すことができる状態と表現してもよい。第２給送トレイ２０Ｂの装着状態及び非装着状態においても、同様である。
【００３１】
［表示部１４］
表示部１４は、ユーザに報知すべき情報をメッセージ或いはアニメーションとして表示する表示画面を備える。表示部１４の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。なお、本実施形態における表示部１４は、複数の表示画像を切り替え表示可能なシングルウィンドウ方式を採用している。
【００３２】
［操作部１７］
操作部１７は、複合機１０に対する指示の入力をユーザから受け付ける入力インタフェースである。操作部１７の具体的な構成は特に限定されないが、例えば、表示部１４の表示画面に重畳されたタッチセンサを有していてもよい。すなわち、表示部１４がタッチパネルディスプレイとして構成されてもよい。タッチセンサには、静電容量方式、抵抗膜方式等の周知の方式を採用することができる。そして、操作部１７は、表示部１４に表示された選択肢（例えば、ボタン等）のうち、タップ位置に表示された選択肢の選択を検知してもよい。また、操作部１７は、複数の押しボタンを有していてもよい。
【００３３】
［制御部１３０］
制御部１３０は、図３に示されるように、ＣＰＵ１３１、ＲＯＭ１３２、ＲＡＭ１３３、ＥＥＰＲＯＭ１３４、及びＡＳＩＣ１３５を備えており、これらは内部バス１３７によって接続されている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００３４】
ＡＳＩＣ１３５には、搬送モータ１０２及びキャリッジモータ１０３が接続されている。ＡＳＩＣ１３５は、各モータを回転させるための駆動信号をＣＰＵ１３１から取得し、駆動信号に応じた駆動電流を各モータに出力する。各モータは、ＡＳＩＣ１３５からの駆動電流によって正転駆動又は逆転駆動する。例えば、制御部１３０は、搬送モータ１０２の駆動を制御して各ローラを駆動させる。また、制御部１３０は、キャリッジモータ１０３の駆動を制御してキャリッジ２３を往復移動させる。さらに、制御部１３０は、記録ヘッド３９を制御してノズル４０からインクを吐出させる。
【００３５】
また、ＡＳＩＣ１３５には、レジストセンサ１２０と、ロータリエンコーダ１２１と、メディアセンサ１２２と、トレイセンサ１２３とが接続されている。制御部１３０は、レジストセンサ１２０から出力される検知信号と、ロータリエンコーダ１２１から出力されるパルス信号とに基づいて、用紙１２の位置を検知する。また、制御部１３０は、メディアセンサ１２２から出力される検知信号に基づいて、用紙１２の左右方向９の端部位置を検知する。さらに、制御部１３０は、トレイセンサ１２３から出力される信号に基づいて、第１給送トレイ２０Ａ及び第２給送トレイ２０Ｂそれぞれの状態を検知する。
【００３６】
ＥＥＰＲＯＭ１３４には、第１給送トレイ２０Ａ及び第２給送トレイ２０Ｂそれぞれに支持される用紙１２の種別を示す種別情報が記憶されている。種別情報は、例えば、用紙１２のサイズ（例えば、Ａ４、Ｂ５、Ｌｅｔｔｅｒ等）を示すサイズ情報と、用紙１２の種類（例えば、普通紙或いは光沢紙等）を示す種類情報とを含む。ＥＥＰＲＯＭ１３４に記憶された各給送トレイの種別情報には、複合機１０の出荷時にデフォルト値が設定されている。デフォルト値としては、例えば、サイズ情報としてＡ４サイズ、種類情報として普通紙を示す情報が記憶されている。また、この種別情報の設定値は、後述する種別情報設定画面を通じてユーザが任意に変更することが可能である。ＥＥＰＲＯＭ１３４は、記憶部の一例である。
【００３７】
［画像記録処理］
図４を参照して、複合機１０による画像記録処理を説明する。この画像記録処理は、制御部１３０のＣＰＵ１３１によって実行される。なお、以下の各処理は、ＲＯＭ１３２に記憶されているプログラムをＣＰＵ１３１が読み出して実行してもよいし、制御部１３０に搭載されたハードウェア回路によって実現されてもよい。図５に示される画像記録処理は、プリント処理の一例である。
【００３８】
図４に示される記録処理は、複合機１０に記録指示が入力されたことに応じて開始される。記録指示は、画像データで示される記録画像を用紙１２に記録するプリント処理を複合機１０に実行させるための指示である。記録指示の取得先は特に限定されないが、例えば、複合機１０が備える操作部１７を通じて取得してもよいし、外部装置から通信ネットワークを通じて取得してもよい。
【００３９】
記録指示は、例えば、画像データと、当該画像データで示される画像を記録すべき用紙１２のサイズを示すサイズ情報と、第１給送トレイ２０Ａ及び第２給送トレイ２０Ｂのどちらに支持された用紙１２に画像を記録するかを示すトレイ情報とを含む。トレイ情報には、第１給送トレイ２０Ａに支持された用紙１２に画像を記録することを示す「第１給送トレイ」、第２給送トレイ２０Ｂに支持された用紙１２に画像を記録することを示す「第２給送トレイ」、或いは第１給送トレイ２０Ａ及び第２給送トレイ２０Ｂのどちらに支持された用紙１２に画像を記録してもよいことを示す「Ａｕｔｏ」が設定され得る。以下、トレイ情報に「第１給送トレイ」が設定されているものとして説明する。
【００４０】
制御部１３０は、記録指示を取得したことに応じて、給送処理を実行する（Ｓ１１）。給送処理は、第１給送トレイ２０Ａに支持された用紙１２の先端を搬送ローラ部５４に到達させる処理である。具体的には、制御部１３０は、ステップＳ１１において、搬送モータ１０２を逆転駆動させることによって、第１給送トレイ２０Ａに支持された用紙１２の先端が搬送ローラ部５４に到達するまで、給送ローラ２５Ａを正転させる。
【００４１】
次に、制御部１３０は、給送処理において給送ローラ２５Ａの回転数が閾値回転数を上回った場合に、レジストセンサ１２０から出力される検知信号に基づいて、第１給送トレイ２０Ａ上の用紙１２の有無を検知する（Ｓ１２）。なお、「閾値回転数」とは、例えば、第１給送トレイ２０Ａに支持された用紙１２の先端をレジストセンサ１２０の設置位置に到達させるのに必要な予め定められた回転数を指す。
【００４２】
制御部１３０は、レジストセンサ１２０からハイレベル信号が出力されていることに応じて（Ｓ１２：Ｎｏ）、用紙無し報知画面を表示部１４に表示させる（Ｓ１３）。用紙無し報知画面は、例えば図６（Ａ）に示されるように、第１給送トレイ２０Ａ上に用紙１２が存在しないことを示すメッセージを含む。ステップＳ１３の処理は、第１表示処理の一例である。また、ステップＳ１３において表示部１４に表示される画像は、表示画像の一例である。さらに、給送ローラ２５Ａの回転数が閾値回転数を上回った時点においてレジストセンサ１２０から出力されるハイレベル信号は、第１給送トレイ２０Ａに用紙１２が存在しないことを示す信号の一例である。
【００４３】
そして、制御部１３０は、リスタート指示を取得したことに応じて（Ｓ１４：Ｙｅｓ）、ステップＳ１１以降の処理を再び実行する。リスタート指示とは、記録指示に従ったプリント処理を再実行することを示す指示である。リスタート指示の具体例は特に限定されないが、例えば、第１給送トレイ２０Ａを抜き且つ装着する一連の操作をリスタート指示としてもよい。すなわち、制御部１３０は、第１給送トレイ２０Ａの非装着信号がトレイセンサ１２３から出力された後、第１給送トレイ２０Ａの装着信号がトレイセンサ１２３から出力されたことに応じて（Ｓ１４：Ｙｅｓ）、ステップＳ１１以降の処理を再び実行すればよい。
【００４４】
一方、制御部１３０は、レジストセンサ１２０からローレベル信号が出力されていることに応じて（Ｓ１２：Ｙｅｓ）、頭出し処理を実行する（Ｓ１５）。頭出し処理は、記録画像が最初に記録される領域が記録ヘッド３９に対面する位置に用紙１２を到達させる処理である。具体的には、制御部１３０は、ステップＳ１５において、搬送モータ１０２を正転駆動させることによって、最初に画像が記録される領域が記録ヘッド３９に対面する位置に到達するまで、搬送ローラ６０及び排出ローラ６２を正転させる。
【００４５】
次に、制御部１３０は、端部検出処理を実行する（Ｓ１６）。端部検出処理は、頭出し処理によって記録ヘッド３９に対面された用紙１２の左右方向９の端部の位置を検出する処理である。具体的には、制御部１３０は、ステップＳ１６において、メディアセンサ１２２の発光部から光を照射した状態でキャリッジ２３を左右方向９に移動させる。そして、制御部１３０は、メディアセンサ１２２から出力される検知信号が、閾値を上回った状態から下回った状態に変化した位置、及び閾値を下回った状態から上回った状態に変化した位置を、用紙１２の端部位置として検出する。
【００４６】
また、制御部１３０は、用紙１２の端部位置に基づいて、第１給送トレイ２０Ａから給送された用紙１２のサイズを検出する。制御部１３０は、例えば、用紙１２のサイズと、当該サイズの用紙１２の端部位置とを対応づけてＲＯＭ１３２等に記憶している。そして、メディアセンサ１２２によって検出された端部位置に対応する用紙サイズを、第１給送トレイ２０Ａから給送された用紙１２のサイズとして検出する。ステップＳ１６の処理は、検出処理の一例である。
【００４７】
制御部１３０は、記録指示に含まれるサイズ情報で示されるサイズと、ステップＳ１６で検出された用紙１２のサイズとが相違することに応じて（Ｓ１７：Ｎｏ）、サイズ不一致報知画面を表示部１４に表示させる（Ｓ１８）。サイズ不一致報知画面は、例えば図６（Ｂ）に示されるように、記録指示で指定された用紙１２のサイズと、第１給送トレイ２０Ａから給送された用紙１２のサイズとが異なることを示すメッセージを含む。ステップＳ１３の処理は、第３表示処理の一例である。また、ステップＳ１８において表示部１４に表示される画像は、表示画像の他の例である。
【００４８】
次に、制御部１３０は、サイズ不一致報知画面の表示後に、用紙１２を排出トレイ２１に排出する排出処理を実行する（Ｓ１９）。具体的には、制御部１３０は、搬送モータ１０２を正転駆動させることによって、用紙１２の後端が排出ローラ部５５を通過するまで、各ローラ６０、６２を正転させる。なお、ステップＳ１８、Ｓ１９の実行順序は図４の例に限定されず、逆順であってもよいし、並行して実行されてもよい。そして、制御部１３０は、リスタート指示を取得したことに応じて（Ｓ２０：Ｙｅｓ）、ステップＳ１１以降の処理を再び実行する。リスタート指示の具体例は、ステップＳ１４と共通であってもよい。
【００４９】
一方、制御部１３０は、記録指示に含まれるサイズ情報で示されるサイズと、ステップＳ１６で検出された用紙１２のサイズとが一致することに応じて（Ｓ１７：Ｙｅｓ）、記録処理を実行する（Ｓ２１）。記録処理は、記録指示に含まれる画像データで示される記録画像を用紙１２に対して記録する処理である。具体的には、制御部１３０は、記録ヘッド３９に対面された用紙１２に対してノズル４０からインクを吐出する吐出処理と、搬送ローラ部５４及び排出ローラ部５５に搬送向き１６の所定の改行幅だけ用紙１２を搬送させる搬送処理とを繰り返し実行する。
【００５０】
次に、制御部１３０は、記録処理が終了したことに応じて、記録画像が記録された用紙１２を排出トレイ２１に排出する排出処理を実行する（Ｓ２２）。排出処理の具体例は、ステップＳ１９と共通であってもよい。以降、制御部１３０は、記録指示に含まれる全ての画像記録を終了するまで（Ｓ２３：Ｎｏ）、ステップＳ１１〜Ｓ２３の処理を繰り返し実行する。
【００５１】
［給送トレイ抜け時の処理］
次に、図５を参照して、給送トレイ抜け時の処理を説明する。この処理は、制御部１３０のＣＰＵ１３１によって実行される。なお、以下の各処理は、ＲＯＭ１３２に記憶されているプログラムをＣＰＵ１３１が読み出して実行してもよいし、制御部１３０に搭載されたハードウェア回路によって実現されてもよい。図５に示される処理は、第１給送トレイ２０Ａ或いは第２給送トレイ２０Ｂのプリンタ部１１からの抜けがトレイセンサ１２３によって検知されたことに応じて、実行される。すなわち、制御部１３０は、トレイセンサ１２３から出力される信号が装着信号から非装着信号に変化したことに応じて、図５に示される処理を実行する。
【００５２】
一例として、図４のステップＳ１３において表示部１４に表示された用紙無し報知画面を見たユーザによって、用紙１２を補充するために第１給送トレイ２０Ａが引き抜かれたことに応じて、図５に示される処理が実行される。他の例として、図４のステップＳ１８において表示部１４に表示されたサイズ不一致報知画面を見たユーザによって、用紙１２を入れ替えるために第１給送トレイ２０Ａが引き抜かれたことに応じて、図５に示される処理が実行される。すなわち、図５に示される処理は、画像記録処理中に実行される割り込み処理である。但し、図５に示される処理が実行されるのは、画像記録処理中に限定されない。
【００５３】
まず、図５に示される処理は、図４に示される画像記録処理が実行中であるか否かによって、処理が分岐する（Ｓ３１）。制御部１３０は、画像記録処理が実行中であり（Ｓ３１：Ｙｅｓ）、且つ画像記録処理における用紙１２の給送元でない第２給送トレイ２０Ｂが引き抜かれたことに応じて（Ｓ３２：Ｎｏ）、第２給送トレイ２０Ｂの種別情報を変更するユーザの操作を受け付ける種別情報設定画面を表示部１４に表示させる（Ｓ３３）。種別情報設定画面は、例えば図７（Ａ）に示されるように、第２給送トレイ２０Ｂに対して設定された現在の種別情報の設定値を報知するメッセージと、当該種別情報を変更することを示す「Ｙｅｓ」ボタンと、当該種別情報を変更しないことを示す「Ｎｏ」ボタンとを含む。ステップＳ３３の処理は、第２表示処理の一例である。また、図７及び図８に示される画像は、表示画像の他の例である。
【００５４】
制御部１３０は、種別情報設定画面の「Ｙｅｓ」ボタンをタップする操作が操作部１７によって検知されたことに応じて、図８（Ａ）に示される変更情報選択画面を表示部１４に表示させる。変更情報選択画面は、例えば図８（Ａ）に示されるように、種類情報を変更することを示す「用紙の種類」ボタンと、サイズ情報を変更することを示す「用紙のサイズ」ボタンと、種類情報を変更する操作が終了したことを示す「完了」ボタンとを含む。また、「用紙の種類」ボタン及び「用紙のサイズ」ボタンには、当該情報の現在の設定値が表示されている。
【００５５】
そして、制御部１３０は、「用紙の種類」ボタンをタップする操作が操作部１７によって検知されたことに応じて、図８（Ｂ）に示される用紙種類選択画面を表示部１４に表示させる。用紙種類選択画面は、例えば図８（Ｂ）に示されるように、「薄紙」ボタンと、「普通紙」ボタンと、「はがき」ボタンと、「厚紙」ボタンとを含む。各ボタンは、第２給送トレイ２０Ｂで支持可能な用紙１２の種類を示す。そして、制御部１３０は、例えば「薄紙」ボタンをタップする操作が操作部１７によって検知されたことに応じて、第２給送トレイ２０Ｂに対して設定された種類情報を「普通紙」から「薄紙」に変更する。他のボタンがタップされた場合についても、同様である。
【００５６】
一方、制御部１３０は、変更情報選択画面に含まれる「用紙のサイズ」ボタンをタップする操作が操作部１７によって検知されたことに応じて、図８（Ｃ）に示される用紙サイズ選択画面を表示部１４に表示させる。用紙サイズ選択画面は、例えば図８（Ｃ）に示されるように、「レター」ボタンと、「Ａ４」ボタンと、「リーガル」ボタンと、「特殊」ボタンとを含む。各ボタンは、第２給送トレイ２０Ｂで支持可能な用紙１２のサイズを示す。そして、制御部１３０は、例えば「レター」ボタンをタップする操作が操作部１７によって検知されたことに応じて、第２給送トレイ２０Ｂに対して設定されたサイズ情報を「Ａ４」から「レター」に変更する。他のボタンがタップされた場合についても、同様である。
【００５７】
制御部１３０は、種別情報設定画面に含まれる「Ｎｏ」ボタンをタップする操作、或いは変更情報選択画面に含まれる「完了」ボタンをタップする操作が操作部１７によって検知されたことに応じて（Ｓ３４：Ｙｅｓ）、トレイ抜け報知画面を表示部１４に表示させる。トレイ抜け報知画面は、例えば図７（Ｂ）に示されるように、第２給送トレイ２０Ｂのプリンタ部１１への装着を促すメッセージを含む。
【００５８】
そして、制御部１３０は、第２給送トレイ２０Ｂの装着信号がトレイセンサ１２３から出力されたことに応じて（Ｓ３５：Ｙｅｓ）、すなわち第２給送トレイ２０Ｂがプリンタ部１１に装着されたことに応じて、図５に示される処理を終了する。なお、種別情報を変更する処理が終了する前（Ｓ３４：Ｎｏ）に第２給送トレイ２０Ｂが装着された場合（Ｓ３５：Ｙｅｓ）、トレイ抜け報知画面の表示は省略される。
【００５９】
一方、画像記録処理が実行中である場合において、制御部１３０は、画像記録処理における用紙１２の給送元である第１給送トレイ２０Ａが引き抜かれたことに応じて（Ｓ３２：Ｙｅｓ）、種別情報設定画面に代えて、トレイ抜け報知画面を表示部１４に表示させる（Ｓ３８）。制御部１３０は、例えばステップＳ３８において、図７（Ｂ）の「第２給送トレイ」を「第１給送トレイ」に変更したトレイ抜け報知画面を、表示部１４に表示させればよい。そして、制御部１３０は、第１給送トレイ２０Ａの装着信号がトレイセンサ１２３から出力されたことに応じて（Ｓ３９：Ｙｅｓ）、すなわち第１給送トレイ２０Ａがプリンタ部１１に装着されたことに応じて、図５に示される処理を終了する。
【００６０】
より詳細には、制御部１３０は、用紙無し報知画面が表示部１４に表示されている状態（Ｓ３６：Ｙｅｓ）、或いは用紙無し報知画面及びサイズ不一致報知画面のどちらもが表示部１４に表示されていない状態（Ｓ３６：Ｎｏ＆Ｓ３７：Ｎｏ）において、第１給送トレイ２０Ａが引き抜かれたことに応じて（Ｓ３２：Ｙｅｓ）、種別情報設定画面の代わりにトレイ抜け報知画面を表示部１４に表示させる（Ｓ３８）。一方、制御部１３０は、サイズ不一致報知画面が表示部１４に表示されている状態（Ｓ３７：Ｙｅｓ）において、第１給送トレイ２０Ａが引き抜かれたことに応じて（Ｓ３２：Ｙｅｓ）、種別情報設定画面を表示部１４に表示する（Ｓ３３）。
【００６１】
一方、制御部１３０は、画像記録処理が実行中でなく（Ｓ３１：Ｎｏ）、且つ図９（Ａ）に示されるスキャナ設定画面が表示部１４に表示されていることに応じて（Ｓ４０：Ｙｅｓ）、当該スキャナ設定画面の表示が終了した後（Ｓ４１：Ｙｅｓ）に種別情報設定画面を表示部１４に表示させる（Ｓ４２）。すなわち、制御部１３０は、スキャナ設定画面が表示部１４に表示されている間（Ｓ４１：Ｎｏ）、種別情報設定画面の表示を待機する。ステップＳ４２〜Ｓ４４の処理は、ステップＳ３３〜Ｓ３５の処理と共通するので、再度の説明は省略する。
【００６２】
スキャナ設定画面は、スキャナ処理の実行条件を示す画面であって、例えば図９（Ａ）に示されるように、画像データの解像度を設定する「解像度」ボタンと、画像データの色数を設定する「色数」ボタンと、画像データのファイル形式を設定する「ファイル形式」ボタンと、実行条件を設定する操作が終了したことを示す「完了」ボタンとを含む。また、「解像度」ボタン、「色数」ボタン、及び「ファイル形式」ボタンには、当該情報の現在の設定値が表示されている。
【００６３】
そして、制御部１３０は、「解像度」ボタンをタップする操作が操作部１７によって検知されたことに応じて、図９（Ｂ）に示される解像度選択画面を表示部１４に表示させる。解像度選択画面は、例えば図９（Ｂ）に示されるように、「１５０×１５０ｄｐｉ」ボタンと、「３００×３００ｄｐｉ」ボタンと、「６００×６００ｄｐｉ」ボタンと、「１２００×１２００ｄｐｉ」ボタンとを含む。各ボタンは、スキャナ処理によって生成可能な画像データの解像度を示す。そして、制御部１３０は、例えば「６００×６００ｄｐｉ」ボタンをタップする操作が操作部１７によって検知されたことに応じて、スキャナ処理によって生成される画像データの解像度を「３００×３００ｄｐｉ」から「６００×６００ｄｐｉ」に変更する。他のボタンがタップされた場合についても、同様である。
【００６４】
同様に、制御部１３０は、「色数」ボタン及び「ファイル形式」ボタンをタップする操作が操作部１７によって検知されたことに応じて、各情報の設定値を選択するための画面を表示部１４に表示させる。スキャナ設定画面を表示部１４に表示させる処理は、第４表示処理の一例である。また、スキャナ設定画面及び解像度選択画面は、スキャナ部に関する表示画像の一例である。そして、制御部１３０は、スキャナ設定画面に含まれる「完了」ボタンをタップする操作が操作部１７によって検知されたことに応じて、スキャナ設定画面の表示を終了する（Ｓ４１：Ｙｅｓ）。
【００６５】
すなわち、制御部１３０は、例えば、スキャナ設定画面、及びスキャナ設定画面に含まれるボタンのタップによって表示される画面が表示部１４に表示されている間（Ｓ４１：Ｎｏ）、種別情報設定画面の表示を待機すればよい。そして、制御部１３０は、例えば、スキャナ設定画面に含まれる「完了」ボタンをタップする操作が操作部１７によって検知されたことに応じて（Ｓ４１：Ｙｅｓ）、種別情報設定画面を表示部１４に表示させればよい（Ｓ４２）。
【００６６】
換言すれば、制御部１３０は、例えば、表示部１４に表示可能な階層化された複数の画面のうち、スキャナ設定画面、及びスキャナ画面の下位の画面が表示部１４に表示されている間（Ｓ４１：Ｎｏ）、種別情報設定画面の表示を待機すればよい。そして、制御部１３０は、例えば、スキャナ設定画面より上位の画面が表示部１４に表示されるタイミングにおいて、当該画面の表示に割り込んで種別情報設定画面を表示部１４に表示させればよい。
【００６７】
一方、制御部１３０は、画像記録処理が実行中でなく（Ｓ３１：Ｎｏ）、且つ用紙無し報知画面が表示部１４に表示されていることに応じて（Ｓ４０：Ｎｏ＆Ｓ４５：Ｙｅｓ）、種別情報設定画面に代えて、トレイ抜け報知画面を表示部１４に表示させる（Ｓ４６）。ステップＳ４６、Ｓ４７の処理は、ステップＳ３８、Ｓ３９の処理と共通するので、再度の説明は省略する。さらに、制御部１３０は、画像記録処理が実行中でなく（Ｓ３１：Ｎｏ）、且つ表示部１４に表示されている画面がスキャナ設定画面でも用紙無し報知画面でもないことに応じて（Ｓ４０：Ｎｏ＆Ｓ４５：Ｎｏ）、種別情報設定画面を表示部１４に表示させる（Ｓ４２）。
【００６８】
図９（Ｃ）は、複合機１０に実行させる機能を選択させる機能選択画面であって、スキャナ設定画面でも用紙無し報知画面でもない画面の一例である。機能選択画面は、例えば図９（Ｃ）に示されるように、「Ｆａｘ」ボタンと、「Ｐｒｉｎｔ」ボタンと、「Ｓｃａｎ」ボタンとを含む。制御部１３０は、「Ｆａｘ」ボタンをタップする操作が操作部１７によって検知されたことに応じて、ＦＡＸ部に関する表示画像を表示部１４に表示させ、「Ｐｒｉｎｔ」ボタンをタップする操作が操作部１７によって検知されたことに応じて、プリンタ部１１に関する表示画像を表示部１４に表示させ、「Ｓｃａｎ」ボタンをタップする操作が操作部１７によって検知されたことに応じて、スキャナ部に関する表示画像を表示部１４に表示させる。
【００６９】
［本実施形態の作用効果］
本実施形態によれば、原則として、給送トレイが引き抜かれたことに応じて種別情報設定画面が表示される（Ｓ３３、Ｓ４２）。一方、所定の条件（Ｓ３１、Ｓ３２、Ｓ３６、Ｓ３７、Ｓ４０、Ｓ４１、Ｓ４５）を満たす状態で給送トレイが引き抜かれたことに応じて、例外的に種別情報設定画面が表示されない。このように、複合機１０の動作状態に応じて、適切なタイミングで種別情報設定画面が表示部１４に表示される。
【００７０】
まず、給送トレイ上の用紙１２がなくなった場合（すなわち、用紙無し報知画面が表示部１４に表示されている場合）、ユーザは、同一サイズの用紙１２を第１給送トレイ２０Ａに補充する可能性が高い。すなわち、このタイミングで種別情報が変更される可能性は低いので、種別情報設定画面を表示させる必要性は低いと考えられる。
【００７１】
一例として、制御部１３０は、画像記録処理中（Ｓ３１：Ｙｅｓ）で且つ用紙無し報知画面が表示部１４に表示されている（Ｓ３６：Ｙｅｓ）状態において、第１給送トレイ２０Ａが引き抜かれたことに応じて（Ｓ３２：Ｙｅｓ）、種別情報設定画面を表示する代わりに（すなわち、第２表示処理を実行せずに）、トレイ抜け報知画面を表示させるのが望ましい（Ｓ３８）。他の例として、制御部１３０は、画像記録処理中でなく（Ｓ３１：Ｎｏ）且つ用紙無し報知画面が表示されている（Ｓ４０：Ｎｏ＆Ｓ４５：Ｙｅｓ）状態において、第１給送トレイ２０Ａ又は第２給送トレイ２０Ｂが引き抜かれたことに応じて、種別情報設定画面を表示する代わりに、トレイ抜け報知画面を表示させるのが望ましい（Ｓ４６）。
【００７２】
なお、画像記録処理中でないタイミングで用紙無し報知画面が表示される場合とは、例えば、記録指示に含まれるトレイ情報に「Ａｕｔｏ」が設定されている場合が考えられる。トレイ情報に「Ａｕｔｏ」が設定された記録指示を取得した制御部１３０は、画像記録処理において、第１給送トレイ２０Ａからピックアップした用紙１２に記録画像を記録る。画像記録処理中に第１給送トレイ２０Ａ上の用紙１２がなくなった場合、制御部１３０は、用紙無し報知画面を表示することなく、第２給送トレイ２０Ｂから用紙１２をピックアップして画像記録処理を継続する。そして、制御部１３０は、画像記録処理の終了後に、第１給送トレイ２０Ａ上に用紙１２が存在しないことを示す用紙無し報知画面を表示部１４に表示させる。
【００７３】
一方、サイズ情報で示されるサイズと、ステップＳ１６で検出された用紙のサイズとが相違する場合（Ｓ１７：Ｎｏ）、ユーザは、第１給送トレイ２０Ａに載置された用紙１２を、適切なサイズ（すなわち、サイズ情報で示されるサイズ）の用紙１２に入れ替える可能性が高い。すなわち、このタイミングで種別情報が変更される可能性は高いと考えられる。そこで、制御部１３０は、画像記録処理中（Ｓ３１：Ｙｅｓ）で且つサイズ不一致報知画面が表示部１４に表示されている（Ｓ３６：Ｎｏ＆Ｓ３７：Ｙｅｓ）状態において、第１給送トレイ２０Ａが引き抜かれアットことに応じて（Ｓ３２：Ｙｅｓ）、種別情報設定画面を表示させるのが望ましい（Ｓ３３）。
【００７４】
また、表示部１４に表示されたスキャナ設定画面等（すなわち、プリンタ部１１以外の処理部に関する表示画像）に割り込んで種別情報設定画面を表示させると、ユーザの操作を阻害する可能性がある。そこで、制御部１３０は、スキャナ設定画面の表示中に第１給送トレイ２０Ａ又は第２給送トレイ２０Ｂが引き抜かれたことに応じて（Ｓ４０：Ｙｅｓ）、スキャナ設定画面の表示終了後（Ｓ４１：Ｙｅｓ）に種別情報設定画面を表示させるのが望ましい（Ｓ４２）。
【００７５】
なお、本実施形態では、種別情報設定画面に代えてトレイ抜け報知画面を表示部１４に表示させる例を説明したが、第２表示処理に代えて実行される処理はこれに限定されない。また、本実施形態では、第１給送トレイ２０Ａから給送された用紙１２に対する画像記録処理中において、第１給送トレイ２０Ａが引き抜かれた場合、或いは第２給送トレイ２０Ｂが引き抜かれた場合を説明したが、第２給送トレイ２０Ｂから給送された用紙１２に対する画像記録処理中においても、同様に考えることができる。一方、画像記録処理中でない場合は（Ｓ３１：Ｎｏ）、第１給送トレイ２０Ａ及び第２給送トレイ２０Ｂのどちらが引き抜かれても同様の処理が実行される（Ｓ４０〜Ｓ４７）。
【００７６】
また、本実施形態では、レジストセンサ１２０を用いて第１給送トレイ２０Ａ及び第２給送トレイ２０Ｂ上の用紙１２の有無を検知する例を説明したが、本発明はこれに限定されない。例えば、第１給送トレイ２０Ａ及び第２給送トレイ２０Ｂのそれぞれに、用紙１２の有無を検知するためのセンサを取り付けてもよい。さらに、本実施形態では、メディアセンサ１２２を用いて用紙１２のサイズを検出する例を説明したが、本発明はこれに限定されない。例えば、用紙１２の左右方向９の端部を位置決めするサイドガイドの位置を検出するためのセンサを、第１給送トレイ２０Ａ及び第２給送トレイ２０Ｂそれぞれに備えてもよい。
【符号の説明】
【００７７】
１０・・・複合機
１１・・・プリンタ部
１４・・・表示部
２０Ａ・・・第１給送トレイ
２０Ｂ・・・第２給送トレイ
１２０・・・レジストセンサ
１２１・・・ロータリエンコーダ
１２２・・・メディアセンサ
１２３・・・トレイセンサ
１３０・・・制御部
１３４・・・ＥＥＰＲＯＭ
【図１】
2015134677.tif 000003
【図２】
2015134677.tif 000004
【図３】
2015134677.tif 000005
【図４】
2015134677.tif 000006
【図５】
2015134677.tif 000007
【図６】
2015134677.tif 000008
【図７】
2015134677.tif 000009
【図８】
2015134677.tif 000010
【図９】
2015134677.tif 000011